(57)【要約】【目的】画面表示用にはＯＳＤ映像を付加し録画用にはＯＳＤ映像を付加しないディジタル放送受信装置を提供する。【構成】エンコード部１０は、ＯＳＤ処理部８を経た映像データを受け取り、標準画像（４８０ｉ）コンポジット信号に変換する。サブ映像出力部１１は、前記エンコーダ１０から出力されるコンポジット信号を受け取り録画機器用として出力する。メイン映像出力部１２は簡易ＯＳＤ合成部１３を経たコンポジット信号を受け取り、画面表示映像用として出力する。簡易ＯＳＤ合成部１３は例えばチャンネルロック表示等の簡易な表示を担う。録画実行時には、ＯＳＤ処理部８による映像合成は行わず、簡易ＯＳＤ合成部１３による映像合成を行う。【選択図】　　　　　　　図１
2004007126.tif 000002
【特許請求の範囲】
【請求項１】
ディジタル放送を受信して映像データを生成し、録画用映像出力と画面表示用映像出力を行うディジタル放送受信装置において、受信映像データに自機側作成映像を付加してビデオエンコーダに供給する第１のＯＳＤ回路と、前記ビデオエンコーダから出力される映像信号に自機側作成映像を付加して出力する第２のＯＳＤ回路と、前記第２のＯＳＤ回路を経た映像信号を入力する画面表示用映像出力部と、前記ビデオエンコーダから出力される映像信号を入力する録画用映像出力部と、録画実行時には第１のＯＳＤ回路による映像付加は行わずに第２のＯＳＤ回路による映像付加を行うように制御する制御手段と、を備えたことを特徴とするディジタル放送受信装置。
【請求項２】
ディジタル放送を受信して映像データを生成し、録画用映像出力と画面表示用映像出力を行うディジタル放送受信装置において、受信映像データに自機側作成映像を付加する処理及び受信映像データをそのまま出力し自機側作成映像を別個に出力する処理を行うＯＳＤ回路と、前記ＯＳＤ回路を経た受信映像データを入力して高解像度映像信号を出力する処理及びダウンコンバートにて標準解像度映像信号を出力するビデオエンコーダと、前記ビデオエンコーダから出力される高解像度映像信号を入力して映像合成を行う映像合成部と、前記映像合成部を経た映像信号を入力する画面表示用映像出力部と、前記ビデオエンコーダから出力される標準解像度映像信号を入力する録画用映像出力部と、録画実行時には前記ＯＳＤ回路による映像付加は行わずに当該ＯＳＤ回路による自機側作成映像を前記映像合成部が得て映像合成を行うように制御する制御手段と、を備えたことを特徴とするディジタル放送受信装置。
【請求項３】
ディジタル放送を受信して映像データを生成し、録画用映像出力と画面表示用映像出力を行うディジタル放送受信装置において、受信映像データに自機側作成映像を付加する第１のＯＳＤ回路と、前記第１のＯＳＤ回路を経た受信映像データを入力して高解像度映像信号を出力する第１のビデオエンコーダと、受信映像データを入力して標準解像度映像信号を出力する第２のビデオエンコーダと、第２のビデオエンコーダから出力される標準解像度映像信号に自機側作成映像を付加して出力する第２のＯＳＤ回路と、前記第１のビデオエンコーダが出力する映像信号又は前記第２のＯＳＤ回路を経た映像信号を入力する画面表示用映像出力部と、前記第２のビデオエンコーダから出力される標準解像度映像信号を入力する録画用映像出力部と、録画実行時には前記第１のＯＳＤ回路及び第１のビデオエンコーダの動作を停止させ、第２のＯＳＤ回路による映像付加を行うように制御する制御手段と、を備えたことを特徴とするディジタル放送受信装置。
【請求項４】
請求項２又は請求項３に記載のディジタル放送受信装置において、ユーザの選択によって、画面表示用映像出力部に標準解像度映像信号を供給し得るように構成したことを特徴とするディジタル放送受信装置。
【請求項５】
請求項１乃至請求項４のいずれかに記載のディジタル放送受信装置において、ユーザの選択によって、ＯＳＤによる表示と非表示とを切り替えれるように構成したことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星ディジタル放送や地上ディジタル放送波を受信する放送受信装置は、専用のアンテナや地上波用アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送を受信する放送受信装置は、図５に示すように、ディジタルチューナ２、デマルチプレクサ（ＴＳデコーダ）３、オーディオデコーダ４、ビデオデコーダ６等を備える。ディジタル放送では標準テレビジョンよりも高解像度画像（４８０ｐ，７２０ｐ，１０８０ｉ）の伝送が可能な仕様になっている。第１エンコード部２１は上記の高解像度画像に対応した映像信号の生成を行うようになっているが、第２エンコード部２１は録画用出力として標準解像度画像（４８０ｉ）に対応した映像信号の生成を行う。
【０００４】
ＯＳＤ（オンスクリーンディスプレイ）処理部８は、制御部（ＣＰＵ）９から出力指示された文字情報や色情報に基づく映像データを受信映像データに組み込む処理を行う。上記ＯＳＤ処理部８により、ＥＰＧ（Ｅｌｅｃｔｒｏｎｉｃ　Ｐｒｏｇｒａｍ　Ｇｕｉｄｅ）画面表示、メニュー画面表示などが実現される。
【０００５】
【発明が解決しようとする課題】
上記従来の放送受信装置においては、画面表示用と録画用の二系統において二つの第１・第２エンコード部２１・２２を備えており、画面表示用の第１エンコード部２１だけにＯＳＤ処理部８を経たＯＳＤ重畳映像が供給され、録画用の映像出力系統においてはＯＳＤ映像が重畳されることはない。しかしながら、かかる構成では、録画時においても第１エンコード部２１やＯＳＤ処理部８が動作することになり、電力を多く消費するという欠点がある。一方、このような欠点を解消するため、映像出力系を一系統（録画兼用とするために標準解像度に統一）とし、録画実行時にはＯＳＤ処理部８を動作させないといった制御が考えられる。しかしながら、録画実行中においてユーザがチャンネル変更操作を行ったときに、チャンネルロックされていることを伝えるＯＳＤ表示が行われないのでは、ユーザは装置の故障を疑ってしまうことになる。また、この程度のメッセージ表示であれば録画されても仕方がないとの考えもあり得るが、やはり録画映像にはＯＳＤ表示が入らない方が断然望ましい。
【０００６】
この発明は、上記の事情に鑑み、画面表示用と録画用の二つのビデオエンコーダを備えるとしても低消費電力化を図ることができ、また、ビデオエンコーダを一つとしつつ画面表示用にはＯＳＤ映像を付加し録画用にはＯＳＤ映像を付加しないことが可能なディジタル放送受信装置を提供することを目的とする。
【０００７】
【課題を解決するための手段】
この発明のディジタル放送受信装置は、上記課題を解決するために、ディジタル放送を受信して映像データを生成し、録画用映像出力と画面表示用映像出力を行うディジタル放送受信装置において、受信映像データに自機側作成映像を付加してビデオエンコーダに供給する第１のＯＳＤ回路と、前記ビデオエンコーダから出力される映像信号に自機側作成映像を付加して出力する第２のＯＳＤ回路と、前記第２のＯＳＤ回路を経た映像信号を入力する画面表示用映像出力部と、前記ビデオエンコーダから出力される映像信号を入力する録画用映像出力部と、録画実行時には第１のＯＳＤ回路による映像付加は行わずに第２のＯＳＤ回路による映像付加を行うように制御する制御手段と、を備えたことを特徴とする。
【０００８】
上記の構成であれば、録画実行時には第１のＯＳＤ回路による映像付加は行われないので、録画用映像出力部へはＯＳＤ付加映像のない受信映像が供給されることになる。そして、第２のＯＳＤ回路による映像付加が行われるので、画面表示用映像出力部へはＯＳＤ付加映像のある受信映像が供給されることになる。
【０００９】
また、この発明のディジタル放送受信装置は、ディジタル放送を受信して映像データを生成し、録画用映像出力と画面表示用映像出力を行うディジタル放送受信装置において、受信映像データに自機側作成映像を付加する処理及び受信映像データをそのまま出力し自機側作成映像を別個に出力する処理を行うＯＳＤ回路と、前記ＯＳＤ回路を経た受信映像データを入力して高解像度映像信号を出力する処理及びダウンコンバートにて標準解像度映像信号を出力するビデオエンコーダと、前記ビデオエンコーダから出力される高解像度映像信号を入力して映像合成を行う映像合成部と、前記映像合成部を経た映像信号を入力する画面表示用映像出力部と、前記ビデオエンコーダから出力される標準解像度映像信号を入力する録画用映像出力部と、録画実行時には前記ＯＳＤ回路による映像付加は行わずに当該ＯＳＤ回路による自機側作成映像を前記映像合成部が得て映像合成を行うように制御する制御手段と、を備えたことを特徴とする。
【００１０】
上記の構成であれば、録画実行時には前記ＯＳＤ回路による映像付加は行わないので、録画用映像出力部へはＯＳＤ付加映像のない受信映像が供給されることになる。そして、当該ＯＳＤ回路による自機側作成映像を前記映像合成部が得て映像合成を行うので、画面表示用映像出力部へはＯＳＤ付加映像のある受信映像が供給されることになる。
【００１１】
また、この発明のディジタル放送受信装置は、ディジタル放送を受信して映像データを生成し、録画用映像出力と画面表示用映像出力を行うディジタル放送受信装置において、受信映像データに自機側作成映像を付加する第１のＯＳＤ回路と、前記第１のＯＳＤ回路を経た受信映像データを入力して高解像度映像信号を出力する第１のビデオエンコーダと、受信映像データを入力して標準解像度映像信号を出力する第２のビデオエンコーダと、第２のビデオエンコーダから出力される標準解像度映像信号に自機側作成映像を付加して出力する第２のＯＳＤ回路と、前記第１のビデオエンコーダが出力する映像信号又は前記第２のＯＳＤ回路を経た映像信号を入力する画面表示用映像出力部と、前記第２のビデオエンコーダから出力される標準解像度映像信号を入力する録画用映像出力部と、録画実行時には前記第１のＯＳＤ回路及び第１のビデオエンコーダの動作を停止させ、第２のＯＳＤ回路による映像付加を行うように制御する制御手段と、を備えたことを特徴とする。
【００１２】
上記の構成であれば、録画実行時には前記第１のＯＳＤ回路及び第１のビデオエンコーダの動作を停止させるので、録画用映像出力部へはＯＳＤ付加映像のない受信映像が供給されることになる。また、動作停止によって消費電力を低減することができる。そして、第２のＯＳＤ回路による映像付加を行うので、画面表示用映像出力部へはＯＳＤ付加映像のある受信映像が供給されることになる。
【００１３】
ユーザの選択によって、画面表示用映像出力部に標準解像度映像信号を供給し得るように構成されていていもよい。また、ユーザの選択によって、ＯＳＤによる表示と非表示とを切り替えれるように構成されていてもよい。
【００１４】
【発明の実施の形態】
（実施形態１）
以下、この発明の第１の実施形態を図１及び図２に基づいて説明するが、ここでは地上波ディジタル放送を受信する場合を例示している。図１はこの実施形態の放送受信装置を示したブロック図であり、説明の便宜上、図５に示した従来の放送受信装置における要素と同一の要素には同一の符号を付記している。
【００１５】
アンテナ１は、地上波放送局から送られてくるディジタル放送を受信する。ディジタルチューナ２は、映像・音声データを含む高周波ディジタル変調信号のうちから特定周波数の信号を取り出す。また、ディジタルチューナ２は、選択されたディジタル変調信号を復調してトランスポート・ストリーム（ＴＳ）を出力すると共に、ディジタルデータの誤りを検出して訂正する。
【００１６】
デマルチプレクサ（ＤＥＭＵＸ）３は、出力されたトランスポート・ストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、ＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）等に分離する。
【００１７】
デマルチプレクサ３により分離されたオーディオストリームは、オーディオデコーダ（Ａｕｄｉｏ　Ｄｅｃｏｄｅｒ）４に供給される。オーディオデコーダ４は、入力された符号化信号を復号して音声データを生成する。この音声データは音声出力部５によってアナログの音声信号に変換される。ビデオストリームは、ビデオデコーダ（Ｖｉｄｅｏ　Ｄｅｃｏｄｅｒ）６に供給される。ビデオデコーダ６は、入力された可変長符号を復号して量子化係数や動きベクトルを求め、逆ＤＣＴ変換や動きベクトルに基づく動き補償制御等を行って映像データを出力する。
【００１８】
サービスデータ記憶部７には、デマルチプレクサ３にて分離されたＰＳＩ／ＳＩ情報等が格納される。
【００１９】
ＯＳＤ（オンスクリーンディスプレイ）処理部８は、制御部（ＣＰＵ）９から出力指示された文字情報や色情報に基づく映像データを受信映像データに組み込む処理を行う。上記ＯＳＤ処理部８により、ＰＳＩ／ＳＩに基づくＥＰＧ（Ｅｌｅｃｔｒｏｎｉｃ　Ｐｒｏｇｒａｍ　Ｇｕｉｄｅ）画面表示、メニュー画面表示などが実現される。
【００２０】
エンコード部１０は、ＯＳＤ処理部８を経た映像データを受け取り、例えばＮＴＳＣ方式のコンポジット信号に変換する。なお、エンコード部１０は標準画像（４８０ｉ）のコンポジット信号に変換するものとしている。
【００２１】
サブ映像出力部１１は、前記エンコーダ１０から出力されるコンポジット信号を受け取り、増幅等の処理を行って出力する。サブ映像出力部１１の出力映像（サブ出力）は図示しない録画機器における録画映像用として利用される。
【００２２】
メイン映像出力部１２は、前記エンコーダ１０から出力されて簡易ＯＳＤ合成部１３を経たコンポジット信号を受け取り、増幅等の処理を行って出力する。メイン映像出力部１２の出力映像（メイン出力）は図示しないモニタにおける画面表示映像用として利用される。簡易ＯＳＤ合成部１３は制御部（ＣＰＵ）９から出力指示された文字情報や色情報に基づいて映像信号を作成し、アナログ処理にて前記エンコーダ１０から出力されるコンポジット信号に前記作成映像信号を重畳（合成）する。簡易ＯＳＤ合成部１３は、チャンネルロック表示や時刻表示等の簡易な表示を担う。
【００２３】
ユーザＩ／Ｆ（インターフェイス）１４は、例えば、図示しないリモコン送信機からの赤外線を受ける受光部、或いは装置３０本体に設けられたスイッチ類である。ユーザがリモコン送信機等を操作したことによる情報は、ユーザＩ／Ｆ１４を介して制御部９に与えられる。
【００２４】
図２は録画実行時のオンスクリーンディスプレイ処理を示したフローチャートである。録画予約日時の到来前のディジタル放送受信状態においては通常のオンスクリーンディスプレイが実行される（ステップＳ１，Ｓ２，Ｓ３でＮＯ）。録画予約日時が到来すると（ステップＳ３でＹＥＳ）、録画処理を開始し（ステップＳ４）、ＯＳＤ処理部８による映像合成は行わないこととし（ステップＳ５）、簡易ＯＳＤ合成部１３による映像合成を行うこととする（ステップＳ６）。ここで、ユーザがチャンネル変更のためにリモコン操作を行うと（ステップＳ７でＹＥＳ）、前記簡易ＯＳＤ合成部１３による映像合成によって画面上にチャンネルロック表示がなされる（ステップＳ８）。録画処理が終了すると（ステップＳ９）、簡易ＯＳＤ合成部１３による映像合成は行わないこととし、ＯＳＤ処理部８による映像合成を行うこととする（ステップＳ１０）。すなわち、通常のオンスクリーンディスプレイ実行状態に復帰する。
【００２５】
（実施形態２）
次に、図３に基づいて第２の実施形態を説明する。なお、説明の重複による冗長を避けるため、第１実施形態との相違点を中心に説明していく。制御部９の制御により、ＯＳＤ処理部８は録画実行時において、ＯＳＤ表示映像（例えば、チャンネルロック表示）を作成するが、このＯＳＤ表示映像を受信映像データに重畳するのではなく、受信映像データはそのままエンコード部１８に供給し、ＯＳＤ表示映像はＤ／Ａ変換回路１７に供給する。Ｄ／Ａ変換回路１７はアナログ映像化したＯＳＤ表示映像を映像合成部１６に供給する。映像合成部１６はアナログ映像化したＯＳＤ表示映像をエンコード部１８から供給される受信映像信号に重畳する。エンコード部１８は、高解像度画像（４８０ｐ，１０８０ｉ）のエンコード処理を行い、高解像度映像を映像合成部１６に供給する。ダウンコンバータ１８ａは、高解像度映像をダウンコンバートして標準解像度映像を生成し、これをサブ映像出力部１１に供給する。これにより、メイン出力（画面表示映像）として高解像度映像でＯＳＤ表示付きの映像を出力できると共に、録画用のサブ出力についてはＯＳＤ表示無しで標準解像度映像を出力することができる。そして、かかる構成においては、簡易ＯＳＤが不要である利点がある。
【００２６】
（実施形態３）
次に、図４に基づいて第３の実施形態を説明する。なお、説明の重複による冗長を避けるため、第１実施形態との相違点を中心に説明していく。この実施形態の放送受信装置は、従来構成と同様、第１エンコード部２１と第２エンコード部２２とによる二系統出力構成となっている。図４において、ＯＳＤ処理部８及び第１エンコード部２１は点線枠で表しており、これは録画実行時において電力供給が停止されて動作が行われないことを示している。録画実行時には簡易ＯＳＤ合成部１３は第２エンコード部２２から受信映像信号を受け取り、この受信映像信号にＯＳＤ表示映像（例えば、チャンネルロック表示）を重畳してメイン映像出力部１２に供給し、メイン映像出力部１２は当該簡易ＯＳＤ合成部１３からの映像信号を出力する。かかる構成においては、録画用のサブ出力へはＯＳＤ付加映像のない受信映像が供給されることになる。また、録画実行時においてＯＳＤ処理部８及び第１エンコード部２１の電力供給が停止されるので低消費電力化が図れる。そして、ＯＳＤ処理部８及び第１エンコード部２１の電力供給が停止されても、簡易ＯＳＤ合成部１３による映像付加が行われるので、画面表示用のメイン出力へはＯＳＤ付加映像のある受信映像が供給される。
【００２７】
なお、実施形態２や実施形態３の構成において、ユーザの選択によりメイン映像出力部１２に標準解像度映像信号を供給し得るようにしてもよい。また、ユーザの選択によって、メイン映像出力部１２へのＯＳＤ表示を非表示とする切り替えが行えるように構成されていてもよい。また、当該ディジタル放送受信装置はモニタ一体型のセットとして構成してもよいし、セットトップボックスとして構成してもよいものである。また、当該ディジタル放送受信装置は録画機能一体型に構成されてもよいし、録画機器が外付けされる構成としてもよい。
【００２８】
【発明の効果】
以上説明したように、この発明によれば、画面表示用と録画用の二つのビデオエンコーダを備えるとしても録画実行時の低消費電力化を図ることができ、また、ビデオエンコーダを一つとしつつ画面表示用にはＯＳＤ映像を付加し録画用にはＯＳＤ映像を付加しないことが可能になる。
【図面の簡単な説明】
【図１】この発明の第１の実施形態のディジタル放送受信装置を示したブロック図である。
【図２】ディジタル放送受信装置の処理内容を示したフローチャートである。
【図３】この発明の第２の実施形態のディジタル放送受信装置を示したブロック図である。
【図４】この発明の第３の実施形態のディジタル放送受信装置を示したブロック図である。
【図５】従来のディジタル放送受信装置を示したブロック図である。
【符号の説明】
１　　アンテナ
２　　ディジタルチューナ
５　　デマルチプレクサ
８　　ＯＳＤ処理部
１０　エンコード部
１１　サブ映像出力部
１２　メイン映像出力部
１３　簡易ＯＳＤ合成部
１６　映像合成部
１８　エンコード部
１８ａダウンコンバータ
【図１】
2004007126.tif 000003
【図２】
2004007126.tif 000004
【図３】
2004007126.tif 000005
【図４】
2004007126.tif 000006
【図５】
2004007126.tif 000007